(57)【要約】      （修正有）【課題】第１ホログラムからの再生光を用いて第２ホログラムを製造する際に、明瞭に視認され得る縞状パターンが第２ホログラムへ形成されることを効果的に防止する。【解決手段】第１ホログラム感光層を含む第１積層体に、第１参照光と第１物体光とを互いに異なる側から照射して第１ホログラム１０を作製する工程と、第２ホログラム感光層４０と作製された第１ホログラム１０とを含む第２積層体３５に、第１参照光および第１物体と同一波長域の第２参照光Ｌ２ｒを照射し、第２参照光Ｌ２ｒと、第２ホログラム感光層４０を透過した第２参照光Ｌ２ｒを第１ホログラム１０で回折してなる第２物体光Ｌ２ｏとによって露光された第２ホログラム感光層４０から第２ホログラム３０を作製する工程と、を含む。第２参照光Ｌ２ｒの入射方向は、第１ホログラム感光層に対する少なくとも一部の第１物体光の入射方向と平行である。【選択図】図６
2014098765.tif 000002
【特許請求の範囲】
【請求項１】
第１ホログラム感光層を含む第１積層体に、第１参照光と第１物体光とを互いに異なる側から照射して、前記第１参照光および前記第１物体光によって露光された前記第１ホログラム感光層から第１ホログラムを作製する工程と、
第２ホログラム感光層と作製された前記第１ホログラムとを含む第２積層体に、前記第１参照光および前記第１物体光と同一波長域の第２参照光を照射し、前記第２参照光と前記第２ホログラム感光層を透過した前記第２参照光を前記第１ホログラムで回折してなる第２物体光とによって露光された前記第２ホログラム感光層から第２ホログラムを作製する工程と、を備え、
前記第２ホログラムを作製する工程における前記第１ホログラムに対する前記第２参照光の入射方向は、前記第１ホログラムを作製する工程での、前記第１ホログラムをなすようになる前記第１ホログラム感光層に対する少なくとも一部の前記第１物体光の入射方向と平行である、反射型体積ホログラムの製造方法。
【請求項２】
第２ホログラムを作製する工程における前記第１ホログラムに対する前記第２参照光の入射方向は、前記第１ホログラム感光層に対する前記第１参照光の入射方向と一致する方向から前記第１参照光および前記第１物体光と同一波長域の再生照明光を前記第１ホログラムへ照射した場合に最も輝度が高くなる方向と平行である、請求項１に記載の反射型体積ホログラムの製造方法。
【請求項３】
前記第１物体光は、前記第１積層体を透過した前記第１参照光を被写体で反射してなる反射光である、請求項１または２に記載の反射型体積ホログラムの製造方法。
【請求項４】
前記第１参照光は、平行光束である、請求項１〜３のいずれか一項に記載の反射型体積ホログラムの製造方法。
【請求項５】
前記第１積層体は、前記第１ホログラム感光層を挟むようにして配置された一対の支持層と、前記一対の支持層のうちの前記第１参照光の入光側に位置する支持層と前記第１ホログラム感光層との間に配置されたフィルム層と、を含む、請求項１〜４のいずれか一項に記載の反射型体積ホログラム製造方法。
【発明の詳細な説明】
【技術分野】
【０００１】
本発明は、第１ホログラムからの再生光を用いて、反射型体積ホログラムである第２ホログラムを製造する方法に係り、とりわけ、明瞭に視認され得る縞状パターンが第２ホログラムへ形成されることを効果的に防止することができる反射型体積ホログラムの製造方法に関する。
【背景技術】
【０００２】
従来、二光束の干渉により生じる明暗の縞、すなわち干渉縞をホログラム感光材料に記録してなる体積型ホログラムが、知られている。体積型ホログラムは、いわゆるブラッグ条件と呼ばれる波長および光路方向に関する条件を満たす光を、高い回折効率で回折する光学素子である。このホログラムは、その回折機能よって、高い意匠性および高い識別性を呈することから、種々の分野で使用されている。とりわけ、ホログラムは、優れた真贋判定指標を提供することができ、これにより、真正性を標示する真正性標示体としても用いられている。
【０００３】
反射型体積ホログラムは、干渉性を有した二つの光束（参照光および物体光）を互いに異なる側からホログラム感光層に照射することにより、製造され得る。この製造方法では、二つの光束が干渉することにより干渉縞が生成され、感光性を有したホログラム感光層は、この干渉縞をなす光の強弱パターンに対応して反応する。結果として、干渉縞が、何らかの縞状パターン、例えば屈折率の変化、透過率の変化、あるいは、凹凸パターンのような形状変化として、ホログラム感光層に記録される。そして、ブラッグ条件を満たす光は、ホログラム感光層に形成された縞状パターンによって、高い回折効率で回折されるようになる。
【０００４】
例えば特許文献１に開示されているように、同一の体積型ホログラムを複製することに適した製造方法として、ホログラム原版として機能する一段目のホログラム（以下、第１ホログラムと呼ぶ）からの再生光を物体光として用いる方法が知られている。この方法では、第１ホログラムと二段目のホログラム（以下、第２ホログラムと呼ぶ）をなすようになるホログラム感光層とを含む積層体に対し、第１ホログラムのブラッグ条件を満たすようにして、一つの方向のみから光を照射する。そして、一つの方向からの光と、第１ホログラムからの回折光と、の干渉によって生じる干渉縞をホログラム感光層に記録うることにより、このホログラム感光層から第２ホログラムが作製される。
【先行技術文献】
【特許文献】
【０００５】
【特許文献１】特開平７−２３０２４３号公報
【発明の概要】
【発明が解決しようとする課題】
【０００６】
なお、第１ホログラムは、参照光と被写体からの物体光によってホログラム感光層を露光することによって作製され得る。第１ホログラムをなすホログラム感光層は、通常、フィルムに支持された状態で一対の保持板の間に保持され、当該一対の保持体とともに積層体を構成している。積層体は、多くの場合、屈折率差を有する界面を不可避的に含むことになる。そして、積層体が屈折率界面を含むことから、露光工程時に、参照光の一部がこの屈折率界面で反射し、さらに、当該反射光が積層体の入光面で反射し得る。この場合、参照光と反射光との干渉による意図していなかった干渉縞が生成され、この不要な干渉縞も縞状パターンとしてホログラム感光層に記録されてしまう。
【０００７】
このような不要な縞状パターンが記録された第１ホログラムを用いた場合、第１ホログラムを用いて作製される第２ホログラムにも、所望の回折現象を引き起こす縞状パターンだけでなく、意図しない回折現象を引き起こす不要な縞状パターンが形成される。第１ホログラムおよび第２ホログラムに記録される干渉縞は、透過型の体積ホログラムに記録される干渉縞と同様に、ホログラムの面方向に配列されたパターンとなり得る。このような不要干渉縞を記録してなる縞状パターンは、不要な回折現象を引き起こしホログラムの回折効率を低下させるだけでなく、目視にても観察され得るようになり、意図した再生像の視認性および意匠性を著しく低下させる。
【０００８】
上述した特許文献１では、参照光の界面反射に起因する不要干渉縞を記録したホログラム原版を用いて、不要な縞状パターンが視認され得ない反射型体積ホログラムを作製する方法が開示されている。しかしながら、特許文献１に開示された方法は、プリズムを用いる方法であり、反射型体積ホログラムを量産への適用は困難である。
【０００９】
本発明は、以上のような点を考慮してなされたものであり、第１ホログラムからの再生光を用いて第２ホログラムを製造する際に、明瞭に視認され得る縞状パターンが第２ホログラムへ形成されることを効果的に防止することを目的とする。
【課題を解決するための手段】
【００１０】
本発明による反射型体積ホログラムの製造方法は、
第１ホログラム感光層を含む第１積層体に、第１参照光と第１物体光とを互いに異なる側から照射して、前記第１参照光および前記第１物体光によって露光された前記第１ホログラム感光層から第１ホログラムを作製する工程と、
第２ホログラム感光層と作製された前記第１ホログラムとを含む第２積層体に、前記第１参照光および前記第１物体光と同一波長域の第２参照光を照射し、前記第２参照光と前記第２ホログラム感光層を透過した前記第２参照光を前記第１ホログラムで回折してなる第２物体光とによって露光された前記第２ホログラム感光層から第２ホログラムを作製する工程と、を備え、
前記第２ホログラムを作製する工程における前記第１ホログラムに対する前記第２参照光の入射方向は、前記第１ホログラムを作製する工程での、前記第１ホログラムをなすようになる前記第１ホログラム感光層に対する少なくとも一部の前記第１物体光の入射方向と平行である。
【００１１】
本発明による反射型体積ホログラムの製造方法において、第２ホログラムを作製する工程における前記第１ホログラムに対する前記第２参照光の入射方向は、前記第１ホログラム感光層に対する前記第１参照光の入射方向と一致する方向から前記第１参照光および前記第１物体光と同一波長域の再生照明光を前記第１ホログラムへ照射した場合に最も輝度が高くなる方向と平行であってもよい。
【００１２】
本発明による反射型体積ホログラムの製造方法において、前記第１物体光は、前記第１積層体を透過した前記第１参照光を被写体で反射してなる反射光であってもよい。
【００１３】
本発明による反射型体積ホログラムの製造方法において、前記第１参照光は、平行光束であってもよい。
【００１４】
本発明による反射型体積ホログラムの製造方法において、前記第１積層体は、前記第１ホログラム感光層を挟むようにして配置された一対の支持層と、前記一対の支持層のうちの前記第１参照光の入光側に位置する支持層と前記第１ホログラム感光層との間に配置されたフィルム層と、を含んでもよい。
【発明の効果】
【００１５】
本発明によれば、第１ホログラムからの再生光を用いて第２ホログラムを製造する際に、明瞭に視認され得る縞状パターンが第２ホログラムへ形成されることを効果的に防止することを目的とする。
【図面の簡単な説明】
【００１６】
【図１】図１は、第１ホログラムを作製する際の露光方法を説明するための図である。
【図２】図２は、図１の露光方法を経て作製された第１ホログラムの回折作用を説明するための図である。
【図３】図３は、図１の露光方法を経て作製された第１ホログラムの他の回折作用を説明するための図である。
【図４】図４は、図１の露光方法において、不要な干渉縞が記録されるメカニズムを説明するための図である。
【図５】図５は、図１の露光方法を経て作製された第１ホログラムを示す平面図である。
【図６】図６は、第２ホログラムを作製する際の露光方法を説明するための図である。
【図７】図７は、図６の露光方法中に記録される不要な干渉縞を示す図である。
【図８】図８は、図７の不要な干渉縞による回折作用を説明するための図である。
【図９】図９は、図６の露光方法とは異なる方向から参照光を照射する露光方法中に記録される不要な干渉縞を示す図である。
【図１０】図１０は、図９の不要な干渉縞による回折作用を説明するための図である。
【図１１】図１１は、色変化の測定方法を説明するための図である。
【図１２】図１２は、色変化の測定結果を示す図である。
【発明を実施するための形態】
【００１７】
以下、図面を参照して本発明の一実施の形態について説明する。図１〜図１２は、本発明の一実施の形態における反射型体積ホログラムの製造方法を説明するための図である。図１〜図１２においては、図示と理解のしやすさの便宜上、適宜縮尺および縦横の寸法比等を、実物のそれらから変更し誇張してある。
【００１８】
また、本明細書において用いる、形状や幾何学的条件並びにそれらの程度を特定する用語、例えば、「平行」、「対称」等の用語や角度の値等については、同様の光学的機能を期待し得る程度の誤差範囲を含めて解釈することとする。
【００１９】
以下に説明する製造方法は、反射型の体積ホログラムである第２ホログラム３０を製造する方法である。反射型の体積ホログラム３０は、縞状パターン３１を形成されており、この縞状パターン３１の間隔、入射光の波長および入射角度に関するブラッグの反射条件が満たされた場合、当該入射光を高い回折効率で回折するようになる。反射型体積ホログラムは、このような入射光に対する波長選択性および角度選択性によって、反射型体積ホログラム自体または反射型体積ホログラムが貼付された物品の意匠性を向上させることや、物品の真正性を標示することが可能であり、物品、とりわけ、包装材料、カード、証明書、有価証券、商品券等に貼付されて使用され得る。
【００２０】
ここで説明する方法では、現実の被写体２５からの反射光を用いて第１ホログラム１０を作製する工程と、第１ホログラム１０をホログラム原版として用いて第２ホログラム３０を作製する工程と、が行われる。まず、第１ホログラム１０を作製しこの第１ホログラム１０からの再生光を利用することによって、現実の被写体２５を用いることなく反射型体積ホログラムを量産することが可能となり、且つ、結果として量産された多数の反射型体積ホログラムに同一の縞状パターンを形成することができる。なお、第１ホログラム１０をマスターホログラムとして用いて、量産品として第２ホログラム３０を作製していくようにしてもよいし、第２ホログラム３０をマスターホログラムとして用いて、反射型の体積ホログラムを量産するようにしてもよい。
【００２１】
以下、第１ホログラム１０を作製する工程および第２ホログラム３０を作製する工程について、順に説明する。
【００２２】
第１ホログラム１０は、第１ホログラム感光層２０を露光し、次に、露光された第１ホログラム感光層２０に対して後処理を施すことによって、作製される。第１ホログラム感光層２０は、例えば、フォトポリマー、銀塩乳剤、重クロム酸ゼラチン、フォトレジスト等の感光性を有した材料により形成される。感光性を有した第１ホログラム感光層２０を、干渉性を有する関係にある参照光および物体光によって露光することにより、第１ホログラム感光層２０に縞状パターン１１が形成される。
【００２３】
図１には、第１ホログラム感光層２０の露光方法の一例が示されている。図１に示された露光方法は、デニシューク法と呼ばれる露光方法である。図１に示されているように、最終的に作製される第２ホログラム３０によって再生されるべき像２６に対応した被写体２５が第１ホログラム感光層２０の背面に配置された状態で、被写体２５とは反対の側から、第１ホログラム感光層２０に参照光Ｌ１ｒが照射される。この参照光Ｌ１ｒを、以下においては、第１参照光Ｌ１ｒと呼ぶ。第１参照光Ｌ１ｒは、コヒーレントな光であって、典型的には、レーザー光源で発振されたレーザー光である。第１参照光Ｌ１ｒは、第１ホログラム感光層２０を透過した後に、被写体２５を照明する。この結果、被写体２５で反射された第１参照光Ｌ１ｒからなる物体光Ｌ１ｏが、第１参照光Ｌ１ｒとは別の側から第１ホログラム感光層２０へ入射する。この物体光Ｌ１ｏを、以下においては、第１物体光Ｌ１ｏと呼ぶ。
【００２４】
図１に示された例において、第１参照光Ｌ１ｒは、第１ホログラム感光層２０の面方向への法線方向に対して傾斜した方向に進む平行光束として、第１ホログラム感光層２０へ入射している。一方、第１物体光Ｌ１ｏは、被写体２５での反射光であり、発散光束として、第１ホログラム感光層２０へ入射している。なお、本明細書において、「面方向」とは、対象となるシート状、フィルム状、板状またはパネル状の部材を全体的かつ大局的に見た場合において対象となるシート状部材、フィルム状部材、板状部材またはパネル状部材によって画成される平面と平行な方向のことを指す。
【００２５】
以上のように、第１参照光Ｌ１ｒと第１物体光Ｌ１ｏが第１ホログラム感光層２０に入射する。第１物体光Ｌ１ｏは、第１参照光Ｌ１ｒの被写体２５での反射光であることから、第１参照光Ｌ１ｒとコヒーレントな関係にある。この結果、第１ホログラム感光層２０が第１参照光Ｌ１ｒ及び第１物体光Ｌ１ｏによって露光されると、第１参照光Ｌ１ｒ及び第１物体光Ｌ１ｏが干渉してなる干渉縞１２が第１ホログラム感光層２０上に生成される。そして、この光の干渉縞１２が、何らかのパターン、一例として屈折率変調パターンや凹凸パターンとして、第１ホログラム感光層２０に記録される。その後、第１ホログラム感光層２０をなす材料の種類に対応した適切な後処理が施される。
【００２６】
以上のようにして、干渉縞１２に対応したパターンにて縞状パターン１１が第１ホログラム感光層２０に形成され、第１ホログラム１０が得られる。
【００２７】
図２には、図１の露光工程を経て得られた第１ホログラム１０の回折作用、言い換えると像の再生作用が示されている。図２に示すように、図１の第１ホログラム感光層２０から作製された第１ホログラム１０は、露光工程で用いられたレーザー光と同一波長域の波長を有する再生照明光Ｌ１ａであって、露光工程における第１参照光Ｌ１ｒの光路と平行に進む再生照明光Ｌ１ａによって、そのブラッグ条件が満たされるようになる。言い換えると、第１ホログラム感光層２０および第１ホログラム１０が同一の位置に配置されたと仮定して、第１参照光の第１ホログラム感光層２０への入射方向と平行な方向ｄ１に進む再生照明光Ｌ１ａが、第１ホログラム１０のブラッグ条件を満たすようになる。図２に示す例では、再生照明光Ｌ１ａは、第１参照光Ｌ１ｒが第１ホログラム１０をなすようになる第１ホログラム感光層２０へ入射した方向ｄ１を、第１参照光Ｌ１ｒとは逆の向きに進んで、第１ホログラム１０へ入射している。
【００２８】
再生照明光Ｌ１ａは、第１ホログラム１０のブラッグ条件を満たし、第１ホログラム１０にて高効率で回折される。第１ホログラム１０で回折された再生照明光Ｌ１ａからなる再生光Ｌ１ｂは、第１ホログラム１０の各位置から、第１ホログラム感光層２０の対応する位置に入射していた第１物体光Ｌ１ｏの光路に沿って、当該第１物体光Ｌ１ｏとは逆向きに進む。そして、第１ホログラム感光層２０に対する被写体２５の相対位置と同一の位置関係を第１ホログラム１０に対してなす位置に、再生像２６が再生される。言い換えると、第１ホログラム感光層２０および第１ホログラム１０が同一の位置に配置されたと仮定して、再生照明光Ｌ１ａは、被写体２５と同一の位置に再生像２６を再生する。
【００２９】
なお、反射型体積ホログラムのブラッグ条件が満たされるとは、次の式（１）が満たされることに相当する。
２×ｄ×ｓｉｎθ＝λ  ・・・  式（１）
式（１）中のｄは、再生照明光をなす光の進行方向と、当該光が入射する領域において縞状パターンを構成する各筋状模様または各面状模様への法線方向と、の両方に平行な断面での、縞状パターンを構成する各筋または各面の間隔、すなわち濃淡の筋のピッチである。また、式（１）中のθは、前記断面において、光の入射方向または光の回折方向が、縞状パターンをなす各筋が延びる方向に対してなす角度である。さらに、式（１）中のλは、縞状パターンへの入射光の波長である。
【００３０】
したがって、ブラッグ条件を示す式（１）は、入射光の波長λに対して入射光の入射角度θが適宜調節されることによって、あるいは、入射光の入射角度θに対して入射光の波長λが適宜設定されることによって、満たされるようになる。すなわち、ある反射型体積ホログラムの縞状パターンによって高効率の回折効率で回折されるようになるのは、所定の特定波長の光が所定の特定入射角度でホログラムへ入射する場合だけではない。したがって、第１参照光Ｌ１ｒ及び第１物体光Ｌ１ｏとは異なる波長域の再生照明光によって、第１参照光Ｌ１ｒの入射方向ｄ１とは異なる方向から第１ホログラム１０を照明した場合にも、再生像２６を再生することができる。
【００３１】
さらに、図３に示すように、第１参照光Ｌ１ｒ及び第１物体光Ｌ１ｏと同一波長域の波長を有する再生照明光Ｌ２ａによって、第１物体光Ｌ１ｏのいずれかの光路に沿った方向から、第１ホログラム１０を照明した場合にも、再生像２６を再生することができる。
【００３２】
ところで、第１ホログラム感光層２０は、自立性に欠ける又は損傷を受けやすいといった理由から、露光工程中、一対の支持層１８，１９に保持されている。第１ホログラム感光層２０は、一対の支持層１８，１９とともに、第１積層体１５を構成し、第１積層体１５の一部分をなしている。図１に示すように、第１積層体１５の支持層１８，１９は、第１参照光Ｌ１ｒ及び第１物体光Ｌ１ｏの入光面となる。したがって、支持層１８，１９は、迷光等の発生を抑制するため、反射防止機能を付与されていることが好ましい。
【００３３】
また、図１に示されているように、第１積層体１５は、一般的に、第１ホログラム感光層２０及び一対の支持層１８，１９に加えて、基層１７およびフィルム層１６を含んでいる。基層１７は、第１積層体１５に撓み等の変形が生じることを防止する観点から高剛性の板状部材、例えばガラスから形成され得る。また、フィルム層１６は、第１ホログラム感光層２０に隣接して配置され、第１ホログラム感光層２０を支持している。
【００３４】
第１積層体１５を構成する多数の層の間には、インデックスマッチング液等が注入され、屈折率の調整が図られている。しかしながら、第１積層体１５が、種々の機能を意図された多数の層を含む場合、第１積層体１５内に屈折率差を有した界面（以下において、屈折率界面とも呼ぶ）１５ａが形成されてしまう。そして、反射型体積ホログラムを製造する多くの場合、第１積層体１５内に不可避的に屈折率界面１５ａが形成され、この屈折率界面１５ａに起因して反射型体積ホログラムに不要な干渉縞１２が記録されることになる。
【００３５】
ここで図４及び図５を主に参照して、この不要な干渉縞１２、並びに、この干渉縞１２が記録されることによって第１ホログラム１０に形成される不要な縞状パターン１１ｘついて説明する。なお、図４及び図５に示された例では、第１積層体１５のフィルム層１６が屈折率１．５６のポリエチレンテレフタレート（ＰＥＴ）製のフィルムからなり、第１積層体１５のフィルム層１６以外のすべての層が、フィルム層１６とは異なる互いに同一の屈折率（例えば１．５２）を有しているとの前提に立っている。すなわち、第１積層体１５内にフィルム層１６との間に屈折率界面１５ａが形成され、且つ、当該屈折率界面１５ａは、第１参照光Ｌ１ｒの光路に沿って第１ホログラム感光層２０よりも入光側に位置している。
【００３６】
そして、屈折率界面１５ａは、図４に示すように、その屈折率差に応じた反射率で第１参照光Ｌ１ｒの一部を反射させる。この意図しない反射光Ｌｘｏの一部は、第１参照光Ｌ１ｒの入光面１５ｂをなす第１積層体１５の面でさらに反射する。この結果、図４に示すように、意図しない反射光Ｌｘｏが所定の方向から第１ホログラム感光層２０へ入射する。このように、第１参照光Ｌ１ｒと反射光Ｌｘｏが第１ホログラム感光層２０に同一の側から入射することにより、第１参照光Ｌ１ｒと反射光Ｌｘｏとの干渉が第１ホログラム感光層２０上で生じる。この結果、第１参照光Ｌ１ｒ及び反射光Ｌｘｏが干渉してなる不要な干渉縞１２ｘが第１ホログラム感光層２０に不要な縞状パターン１１ｘとして記録される。
【００３７】
なお、不要な干渉縞１２ｘは、第１参照光Ｌ１ｒおよび反射光Ｌｘｏの干渉によって生成されている。したがって、第１参照光Ｌ１ｒの入射方向ｄ１と平行に進み且つ第１参照光Ｌ１ｒと同一波長域の波長を有する再生照明光Ｌ１ａは、不要な干渉縞１２ｘを記録してなる不要な縞状パターン１１ｘのブラッグ条件を満たすことになる。すなわち、再生照明光Ｌ１ａの一部は、縞状パターン１１で回折されて再生像２６を再生し、同時に、再生照明光Ｌ１ａの他の一部が、不要な縞状パターン１１ｘで回折され、その回折光としての再生光Ｌｘｂが、第１ホログラム１０を透過して意図しない方向に進む。すなわち、第１ホログラム１０に形成された不要な縞状パターン１１ｘは、再生像２６を再生するための回折効率を低下させるとともに、意図しない方向に不要な再生光Ｌ２ｂを射出させることになる。
【００３８】
また、屈折率界面１５ａが、第１参照光Ｌ１ａの光路に沿って第１ホログラム感光層２０よりも上流側に位置していることから、不要な干渉縞１２ｘを生成する第１参照光Ｌ１ｒおよび反射光Ｌｘｏは、第１ホログラム感光層２０に同一の側から入射する。この結果、第１参照光Ｌ１ａと反射光Ｌｘｏとの干渉によって生じる干渉縞１２ｘを記録してなる不要な縞状パターン１１ｘは、透過型のホログラムを形成する。このため、図４によく示されているように、縞状パターン１１ｘを構成する各筋状模様または各面状模様は、第１ホログラム１０への法線方向に対して僅かにしか傾斜せず、これにより、図５に示すように、第１ホログラム１０を目視で観察した際に把握されやすくなる。
【００３９】
なお、不要な縞状パターン１１ｘは、第１参照光Ｌ１ｒと、第１参照光Ｌ１ｒが反射することにより生成された反射光Ｌｘｏと、の干渉によって生じる不要な干渉縞１２ｘを記録したものである。このため、不要な縞状パターン１１ｘの配列方向に沿って、不要な縞状パターン１１ｘが形成されている領域は、第１参照光Ｌ１ｒを露光されていた領域の一部分となる。
【００４０】
第１参照光Ｌ１ｒを露光されていた領域の不要な縞状パターン１１ｘの配列方向に沿った長さｙと、不要な縞状パターン１１ｘが形成されている領域の不要な縞状パターン１１ｘの配列方向に沿った長さｘは、次の式（２）を満たすようになる。
y-x=(2・z・n12・sin2(θ1a))/(n22-(n12・sin2(θ1a))) ・・・（２）
式（２）において、
「ｚ」は、第１ホログラム１０への法線方向に沿った反射光Ｌｘｏの光路長、すなわち、第１ホログラム１０への法線方向に沿った入光面１５ｂから屈折率界面１５ａまでの長さであり、
「ｎ１」は、第１積層体１５へ入射する直前に通過していた領域の屈折率、すなわち空気の屈折率であり、
「ｎ２」は、第１積層体１５のうちの屈折率界面１５ａに到達するまでの領域の屈折率であり、
「θ１ａ」は、第１参照光Ｌ１ｒの入光面１５ｂへの入射角度、すなわち第１参照光Ｌ１ｒの入射方向が入光面１５ｂへの法線方向に対してなす角度である。
上記式（２）は、第１参照光Ｌ１ｒが第１積層体１５へ入射する際にスネル法則に従って満たす式（３）、及び、第１参照光Ｌ１ｒの屈折角θ1bを用いた式（４）を利用して、算出される。
n1・sin(θ1a)=n2・sin(θ1a)      ・・・（３）
y-x=2・z・tan(θ1b)     ・・・（４）
【００４１】
次に、以上のようにして作製された第１ホログラム１０を用いて第２ホログラム３０を作製する方法について説明する。
【００４２】
第２ホログラム３０は、第２ホログラム感光層４０を露光し、次に、露光された第２ホログラム感光層４０に対して後処理を施すことによって、作製される。第２ホログラム感光層４０は、第１ホログラム感光層２０と同様に、例えば、フォトポリマー、銀塩乳剤、重クロム酸ゼラチン、フォトレジスト等の感光性を有した材料により形成される。第１ホログラム１０と同様に、感光性を有した第２ホログラム感光層４０を、互いに干渉性を有した参照光および物体光によって露光することにより、第２ホログラム感光層４０に縞状パターン３１が形成される。
【００４３】
図６に示すように、露光されて第２ホログラム３０をなすようになる第２ホログラム感光層４０は、第１ホログラム１０と積層されて第２積層体３５をなしている。図６に示された第２積層体３５は、当該第２積層体３５への第２参照光Ｌ２ｒの入光側から順に、支持層３９、第２ホログラム感光層４０、フィルム層３６、基層３７、第１ホログラム１０、支持層３８及び背面層３３を有している。支持層３９、フィルム層３６、基層３７及び支持層３８は、それぞれ、第１積層体１５に含まれた支持層１９、フィルム層１６、基層１７及び支持層１８に対応する層であり、第１積層体１５に含まれるこれらの層と同様の機能を発揮することを期待されている。一方、背面層３３は、光吸収機能を有した層であり、例えば黒色顔料等を含む層として形成され得る。背面層３３は、当該背面層３３に到達した不要な光を吸収して、不要な干渉縞の生成を効果的に防止する。
【００４４】
図６に示された露光方法では、支持層３９の側から第２積層体３５に入射した参照光Ｌ２ｒは、第２ホログラム感光層４０を透過して、第１ホログラム１０へ入射する。この参照光Ｌ２ｒを、以下においては、第２参照光Ｌ２ｒと呼ぶ。第２参照光Ｌ２ｒは、コヒーレントな光であって、典型的には、レーザー光源で発振されたレーザー光である。この第２参照光Ｌ２ｒは、第１ホログラム感光層２０に対する第１物体光Ｌ１ｒの入射方向のいずれかと平行な方向から、第１ホログラム１０に対して入射する。言い換えると、第１ホログラム感光層２０および第１ホログラム１０が同一の位置に配置されたと仮定して、第２参照光Ｌ２ｒは、発散光束をなす第１物体光Ｌ１ｒのいずれかと平行な方向に進む。さらに言い換えると、第１ホログラム１０に対する第２参照光Ｌ２ｒの入射方向の位置関係は、第１ホログラム感光層２０に対するいずれかの第１物体光Ｌ１ｏの入射方向の位置関係と同一となっている。また、第２参照光Ｌ２ｒは、第１参照光Ｌ１ｒと同一波長域の波長を有するコヒーレント光である。したがって、図３を参照しながら説明したように、第２参照光Ｌ２ｒは、第１ホログラム１０の縞状パターン１１に関するブラッグ条件を満たすようにして、当該第１ホログラム１０へ入射する。
【００４５】
すなわち、第２ホログラム感光層４０を透過した第２参照光Ｌ２ｒは、反射型体積ホログラムとして作製された第１ホログラム１０へ、再生照明光として入射する。そして、反射型体積ホログラムとして作製された第１ホログラム１０で回折された第２参照光Ｌ２ｒは、再生像２６を再生する再生光Ｌ２ｂをなして、第２ホログラム感光層４０へと向かう。結果として、第１ホログラム１０からの再生光Ｌ２ｂが、物体光（以下において第２物体光とも呼ぶ）Ｌ２ｏとして、第２参照光Ｌ２ｒとは別の側から第２ホログラム感光層４０へ入射する。
【００４６】
以上のようにして、第２参照光Ｌ２ｒと第２物体光Ｌ２ｏが第２ホログラム感光層４０に入射する。第２物体光Ｌ２ｏは、第２参照光Ｌ２ｒの第１ホログラム１０での回折光であることから、コヒーレントな第２参照光Ｌ２ｒと干渉する。この結果、第２ホログラム感光層４０が第２参照光Ｌ２ｒ及び第２物体光Ｌ２ｏによって露光されると、第２参照光Ｌ２ｒ及び第２物体光Ｌ２ｏが干渉してなる干渉縞３２が第２ホログラム感光層４０上に生成される。そして、この光の干渉縞３２が、何らかのパターン、一例として、屈折率変調パターンや凹凸パターンとして、第２ホログラム感光層４０に記録される。その後、第２ホログラム感光層４０をなす材料の種類に対応した適切な後処理が施される。
【００４７】
以上のようにして、第２ホログラム感光層４０に干渉縞３２に対応したパターンにて縞状パターン３１が第２ホログラム感光層４０に形成され、第２ホログラム３０が得られる。
【００４８】
ところで、上述したように、第１ホログラム１０には不要な縞状パターン１１ｘも含まれている。そして仮に、第２参照光Ｌ２ｒが、第１参照光Ｌ１ｒの第１ホログラム感光層２０への入射方向ｄ１と一致する方向から第１ホログラム感光層２０へ入射すると、当該第２参照光Ｌ２ｒは、不要な縞状パターン１１ｘのブラッグ条件を満たす。不要な縞状パターン１１ｘでの回折光が第２ホログラム感光層４０へ入射すると、第２ホログラム感光層４０にも不要な干渉縞が記録されるようになってしまう。この場合、作製された第２ホログラム３０は、不要な縞状パターンを含み、本来目的としていた回折効率が低下するとともに、不要な縞状パターンでの回折光が意図しない方向に進み出てしまうといった不具合が生じる。
【００４９】
しかしながら、図６に示された露光方法では、第２参照光Ｌ２ｒは、第１物体光Ｌ１ｒの第１ホログラム感光層２０に対する入射方向のいずれかと同一となる方向から第１ホログラム１０に入射している。したがって、第２参照光Ｌ２ｒが、第１参照光Ｌ１ｒおよび反射光Ｌｘｏ（図４参照）の第１ホログラム感光層２０への入射方向のいずれとも異なる方向から、第１ホログラム１０へ入射することが可能となる。この場合、第２参照光Ｌ２ｒは、縞状パターン１１に関するブラッグ条件を満たす一方で、不要な縞状パターン１１ｘに関するブラッグ条件を満たさなくなる。
【００５０】
以上のことから、第２ホログラム感光層４０の露光時に不要な干渉縞の発生を防止し、これにより、第２ホログラム感光層４０に不要な縞状パターンが形成されることを防止して、所望の縞状パターン３１のみを第２ホログラム感光層４０を形成することができる。すなわち、不要な干渉縞１２ｘが記録された第１ホログラム１０からの再生光を用いて、不要な干渉縞を記録することなく所望の干渉縞３２のみを第２ホログラム感光層４０に記録することができる。この結果、製造された第２ホログラム３０は、所望の回折現象を高い回折効率で発現することができる。
【００５１】
なお、反射型体積ホログラムの実際の作製、とりわけデニシューク法による反射型体積ホログラムの実際の作製においては、一般的に、被写体２５からの物体光が、ホログラム感光層への法線方向またはその近傍の方向から、最も強い強度で当該ホログラム感光層へ入射するようになる。その一方で、参照光の入射方向は、一般的に、物体光の入射方向と非平行に設定される。参照光と物体光の進行方向が交差することにより、縞状パターンの筋状模様または面状模様のピッチを比較的に長くすることができ、これにより、所望の回折現象を引き起こすホログラムを精度良く作製することが可能となるからである。このような傾向からすれば、再生照明光として機能する第２参照光Ｌ２ｒの第１ホログラム１０に対する入射方向と、第１ホログラム１０をなすようになる第１ホログラム感光層２０への第１物体光Ｌ１ｏの入射方向と、を同一の位置関係に設定した場合、再生照明光として機能する第２参照光Ｌ２ｒの第１ホログラム１０に対する入射方向は、第１ホログラム１０への第１参照光Ｌ１ｒ及び反射光Ｌｒｏの入射方向と一致するのは非常に稀となる。
【００５２】
また、第２ホログラム３０の回折効率を向上させる観点からは、当然に、第２ホログラム感光層４０の露光時における第２物体光Ｌ２ｏの強度が高いことが好ましい。したがって、第１ホログラム１０での第２参照光Ｌ２ｒの回折効率が高い程、回折効率の面において優れた第２ホログラム３０を作製することができる。この観点からは、第１ホログラム感光層２０に対する第１参照光Ｌ１ｒの入射方向と平行な方向ｄ１に沿って、第１参照光Ｌ１ｒと同一波長域の再生照明光を第１ホログラム１０に照明した場合における、第１ホログラム１０の回折特性を予め調査しておき、当該調査された回折特性に基づき、第２参照光Ｌ２ｒの第１ホログラム１０への入射方向を設定することが好ましい。
【００５３】
例えば、まず、第１ホログラム１０からの再生光が進み出ると予想される方向と、その近辺となる様々な方向と、において、一具体例として、第１物体光Ｌ１ｏが第１ホログラム１０へ入射する角度域内の種々の方向において、分光透過率を調査する。分光透過率は、島津製作所製の分光光度計ＵＶ−２４５０を用いて測定され得る。そして、第１参照光Ｌ１ｒおよび第１物体光Ｌ１ｏの波長域の光が、中心波長となっている分光透過率が測定された方向を、第２ホログラム感光層４０の露光時における当該第２ホログラム感光層４０への第２参照光Ｌ２ｒの入射方向とすることができる。
【００５４】
また別の方法としては、上述した方法と同様に、まず、第１ホログラム１０からの再生光が進み出ると予想される方向と、その近辺となる様々な方向と、において、一具体例として、第１物体光Ｌ１ｏが第１ホログラム１０へ入射する角度域内の種々の方向において、分光透過率を調査する。分光透過率は、島津製作所製の分光光度計ＵＶ−２４５０を用いて測定され得る。そして、第１参照光Ｌ１ｒおよび第１物体光Ｌ１ｏの波長域の光が、ピーク強度となっている分光透過率が測定された方向を、第２ホログラム感光層４０の露光時における当該第２ホログラム感光層４０への第２参照光Ｌ２ｒの入射方向とすることができる。さらには、第１ホログラム感光層２０に対する第１参照光Ｌ１ｒの入射方向と一致する方向ｄ１から第１参照光Ｌ１ｒおよび第１物体光Ｌ１ｏと同一波長域の再生照明光を第１ホログラム１０へ照射した場合に最も輝度が高くなる方向と、第２ホログラム１０を作製する工程における第１ホログラム１０に対する第２参照光Ｌ２ｒの入射方向が、一致するようにしてもよい。
【００５５】
ところで、ここで説明した方法によれば、第１ホログラム１０からの再生光を用いて第２ホログラム３０を作製する際に、第１ホログラム１０の作製時における第１参照光Ｌ１ｒの第１ホログラム感光層２０への入射光路ではなく、第１物体光Ｌ１ｏの第１ホログラム感光層２０への入射光路に沿って、再生照明光として機能する第２参照光１５が第１ホログラム１０へ入射するよう、第２積層体３５を露光している。また上述したように、被写体２５を用いて一段目のホログラムを作製する際、一般的に、被写体２５からの物体光は、ホログラム感光層に対してその法線方向から高強度で照明されるようになる。
【００５６】
したがって、ここで説明した第２ホログラム３０の製造方法における第２参照光Ｌ２ｒの第２ホログラム感光層４０への入射角度は、図７に示すように、比較的に小さくなる。ここで入射角度とは、入射対象となる面への法線方向に対して入射光の進行方向がなす角度の大きさのことである。一方、第２ホログラム３０を作製する際に、第１ホログラム１０の作製時における第１参照光Ｌ１ｒの第１ホログラム感光層２０への入射光路に沿って、第２参照光Ｌ２ｒが第１ホログラム１０へ入射するよう、第２積層体３５を露光した場合には、第２参照光Ｌ２ｒ’の第２ホログラム感光層４０への入射角度は、図９に示すように、比較的に大きくなる。すなわち、ここで説明した第２ホログラム３０の製造方法での露光方法によれば、第２参照光Ｌ２ｒの第２ホログラム感光層４０への入射角度を小さくすることができ、当該入射角度を０°にすることもできる。そして、第２参照光Ｌ２ｒが第２ホログラム感光層４０へ小さな入射角度で入射すれば、以下に説明するように、再生像２６を明瞭に再生することができる。
【００５７】
上述したように、ここで説明した方法によれば、不要な干渉縞１２ｘが不要な縞状パターン１１ｘとして第１ホログラム１０に記録されていたとしても、第２ホログラム３０を作製するための露光時に、この縞状パターン１１ｘに関するブラッグ条件が満たされない。このため、第１ホログラム１０に形成された不要な縞状パターン１１ｘに起因する不要な干渉縞が、第２ホログラム３０に記録されることを効果的に防止することができる。しかしながら、第１積層体１５と同様に、第２積層体３５内にも屈折率界面３５ａが含まれ得る。そして、第２ホログラム感光層４０の露光時に、第２参照光Ｌ２ｒが屈折率界面３５ａで反射することにより、不要な縞状パターン３１ｘが第２ホログラム３０に形成されてしまう可能性がある。そして、第２参照光Ｌ２ｒの第２ホログラム感光層４０への入射角度が小さくなるここで説明した製造方法によれば、次に説明するように、作製された第２ホログラム３０において、この不要な縞状パターン３１ｘでの回折によって、本来再生することを意図された再生像２６の視認性が悪化してしまうことを効果的に防止することができる。
【００５８】
図７に示すように、屈折率界面３５ａが、第２参照光Ｌ２ｒの光路に沿って第２ホログラム感光層４０の背面に位置する場合、言い換えると、第２ホログラム感光層４０が、第２参照光Ｌ２ｒの光路に沿って屈折率界面３５ａよりも入光側に位置する場合について検討する。とりわけ図示された例では、第２ホログラム感光層４０と、第２ホログラム感光層４０の背面に配置されたフィルム層３６と、の間に屈折率界面３５ａが形成されている。そして、第２積層体３５内における第２ホログラム感光層４０よりも入光側には、屈折率界面が存在していない。この屈折率界面３５ａは、図７に示すように、その屈折率差に応じた反射率にて、第２ホログラム感光層４０を通過する第２参照光Ｌ２ｒの一部を反射させる。この意図しない反射光Ｌｙｏと、第２参照光Ｌ２ｒとの干渉が第２ホログラム感光層４０上で生じる。この結果、第２参照光Ｌ２ｒ及び反射光Ｌｙｏが干渉してなる不要な干渉縞３２ｘが第２ホログラム感光層４０に不要な縞状パターン３１ｘとして記録される。
【００５９】
ただし、図７に示すように、第２参照光Ｌ２ｒ及び反射光Ｌｙｏは、第２ホログラム感光層４０へ互いに異なる側から入射する。このため、不要な縞状パターン３１ｘの筋状模様または面状模様は、第２ホログラム感光層４０の面方向へ延びる。すなわち、不要な縞状パターン３１ｘは、反射型の体積ホログラムを構成する。しがって、この不要な縞状パターン３１ｘは、目視によって、視認され難くなる。
【００６０】
なお、再生像２６を再生するための縞状パターン３１は、再生像２６の大きさ等に応じて、第１ホログラム１０内の一部分に形成される。その一方で、不要な縞状パターン３１ｘは、第１ホログラム１０内のほぼ全域に形成されるようになる。したがって、不要な縞状パターン３１ｘは、再生像２６の周囲となる領域に、ブラッグ条件を満たす特定波長域の光の色で表示される背景領域として認識される。
【００６１】
通常、反射型体積ホログラムは、再生像の視認性を向上させることを目的として、明度の低い支持材上に配置されて使用されることが多い。そして、第２ホログラム３０が実際にこのような支持材上に配置された場合、不要な縞状パターン３１ｘのブラッグ条件を満たす光によって表示される背景領域は、背景領域を表示する光の波長が短波長側にずれるほど、視認され難くなる。逆に言えば、長波長側の光、例えば赤色光が、不要な縞状パターン３１ｘのブラッグ条件を満たす場合に、背景領域が明瞭に視認されてしまうようになる。背景領域が明瞭に視認されるようになると、再生像２６の視認性が劣化してしまい、当該第２ホログラム３０の品位を著しく低下させてしまうことになる。
【００６２】
この点、図７に示すように第２参照光Ｌ２ｒの第２ホログラム感光層４０への入射角度が小さい場合、第２ホログラム感光層４０上に生じる不要な干渉縞３１ｘの縞状模様または面状模様のピッチＰ１は、図９に示すように第２参照光Ｌ２ｒ’の第２ホログラム感光層４０への入射角度が大きくなる場合に生じる不要な干渉縞３１ｘ’の縞状模様または面状模様のピッチＰ２よりも小さくなる。結果として、図７に示すように、第１物体光Ｌ１ｏの第１ホログラム感光層２０への入射光路に沿って第２参照光１５が第１ホログラム１０へ入射するよう、第２積層体３５を露光すると、第２ホログラム３０に形成された不要な干渉縞３１ｘの縞状模様または面状模様のピッチＰ１を、小さくすることができる。
【００６３】
図８及び図１０に示すように、ピッチＰ１が小さい縞状パターン３１ｘで回折される光は、ピッチＰ２が大きい縞状パターン３１ｘ’で回折される光と比較して、当該縞状パターンのブラッグ条件を満たす光の波長が相対的に短くなる傾向が生じる。また、図８及び図１０に示すように、縞状パターンのブラッグ条件を満たす光のうち、縞状パターンをなす筋状模様または面状模様の配列方向に進む光の波長が、最も長くなる。したがって、第２参照光Ｌ２ｒが第２積層体３５への法線方向へ進む場合、この不要な縞状パターン３１ｘのブラッグ条件を満たす光の波長は、第２参照光Ｌ２ｒの波長以下となる。ここで、図８は、図７の露光により形成された不要な干渉縞３１ｘでの回折作用を示しており、図１０は、図９の露光により形成された不要な干渉縞３１ｘ’での回折作用を示している。図８に示された例では、ピッチＰ１が小さい縞状パターン３１ｘが、小さい入射角度で入射した緑色光を回折し、大きな入射角度で入射した青色光を回折している。また、図１０に示された例では、ピッチＰ２が大きい縞状パターン３１ｘ’が、小さい入射角度で入射した赤色光を回折し、大きな入射角度で入射した緑色光を回折している。
【００６４】
すなわち、第２参照光Ｌ２ｒの第２ホログラム感光層４０への入射角度が小さくなるここで説明した製造方法によれば、作製された第２ホログラム３０に不要な縞状パターン３１ｘが形成されていたとしても、不要な縞状パターン３１ｘのピッチＰ１を小さくすることができる。これにともなって、不要な縞状パターン３１ｘによって回折される光の波長を短波長化することができ、不要な縞状パターン３１ｘによって再生される背景領域が、明瞭に視認されてしまうことを防止することができる。したがって、不要な縞状パターン３１ｘが第１ホログラム感光層２０に記録されたとしても、縞状パターンによって再生される再生像２６の視認性を低下させることなく、むしろ従来よりも再生像２６の視認性を改善することができる。
【００６５】
ここで図１２には、サンプル１およびサンプル２を実際に作製し、各サンプルについて色変化を確認した結果を示している。
【００６６】
まず、サンプル１は、上述した反射型体積ホログラムの製造方法により作製された第１ホログラム感光層２０である。この際、第１ホログラム１０は、上述した層構成の第１積層体１５に対して４５°の入射角度で第１参照光を照射することによって第１ホログラム感光層２０を露光し、作製した。第１積層体１５の露光時、被写体２５からの第１物体光Ｌ１ｏは、第１積層体１５への法線方向を中心とする角度域に広がる発散光束として、第１積層体１５へ入射した。また、第２ホログラム３０を作製するための露光時、上述した層構成の第２積層体３５に対して０°の入射角度で、すなわち第２積層体３５への法線方向から第２参照光Ｌ２ｒを照射した。この際、第２参照光Ｌ２ｒは、第２ホログラム感光層４０を透過した後に第１ホログラム１０で回折され、第１ホログラム１０で回折された再生光が、第２積層体３５の法線方向に対して略４５°傾斜した方向を中心とする角度域に再生像２６を再生した。なお、第１参照光Ｌ１ｒ及び第２参照光Ｌ２ｒは、共に、コヒレント社製のverdi-5Wから発振された波長が532ｎｍのレーザー光とした。
【００６７】
一方、サンプル２は、第２ホログラム３０を作製するための露光時における第２参照光の入射方向が、第１ホログラム１０を作製するための露光時における第１参照光Ｌ１ｒの第１積層体１５への入射方向と一致する方向であった点と、これにともなって、第２参照光Ｌ２ｒを第１ホログラム１０で回折してなる第２物体光Ｌ２ｏが、第２積層体３５の法線方向を中心とする角度域に再生像２６を再生した点と、においてサンプル１と異なり、その他はサンプル１と同様にして作製した。
【００６８】
このようにして得られたサンプル１及びサンプル２に係る反射型体積ホログラムに対して、図１１に示すように、サンプルへの法線方向に対して所定角度θａだけ傾斜した複数の方向から白色光を試験照明し、トプコン社製の色彩輝度計「BM-7」を用いて、各照明方向から照明した際における各サンプルの法線方向でのピーク光度を呈した色を調査した。なお、白色光を試験照明される領域は、意図した像２６を再生する縞状パターンが記録されていない第２ホログラム３０上の領域、すなわち、不要な縞状パターン３１ｘのみが記録されている第２ホログラム３０上の領域とした。試験照明は、サンプルの法線方向に対して１０°傾斜した方向から２０°傾斜した方向まで１°ずつ変化させて、計１１の方向から行った。
【００６９】
結果を図１２に示す。図１２に示すように、サンプル１の法線方向から観察された色は、サンプル２で観察された色よりも低波長側の色となった。サンプル２と比較して、サンプル１の方が、色の付き方が目立っていなかった。また、各サンプルにおいて、試験照明の照明方向が、サンプルへの法線方向に対してなす角度θａが大きくなるにしたがって、各サンプルの法線方向から観察された色は低波長側へシフトしていった。
【００７０】
以上のように本実施の形態によれば、第２ホログラム３０を作製する工程における第１ホログラム１０に対する第２参照光Ｌ２ｒの入射方向は、第１ホログラム１０を作製する工程での、第１ホログラム１０をなすようになる第１ホログラム感光層２０に対する少なくとも一部の第１物体光Ｌ１ｏの入射方向と一致している。したがって、第１ホログラム１０からの再生光Ｌ１ａを利用して第２ホログラム３０を作製する際、第１ホログラム１０に不要な縞状パターン１１ｘが記録されていたとしても、当該不要な縞状パターン１１ｘに対応した不要な干渉縞を記録することなく、第１ホログラム１０に記録されている再生像２６を再生するための縞状パターン１１のみを第１ホログラム感光層２０に形成することができる。
【００７１】
なお、上述した実施の形態に対して様々な変更を加えることが可能である。以下、変形の一例について説明する。
【００７２】
上述した実施の形態で説明した第１積層体１５及び第２積層体３５の層構成は例示であり、適宜変更することができる。
【００７３】
また、上述した実施の形態において、第１ホログラム感光層２０の露光工程において、第１積層体１５を透過した第１参照光Ｌ１ｒの被写体２５での反射光が第１物体光Ｌ１ｏをなすようにした。すなわち、第１ホログラム１０が、デニシューク法により作製される例を示した。しかしながら、同一固体から発振されたレーザー光を分割し、レーザー光の一部が第１参照光Ｌ１ｒとして第１積層体１５に入射し、レーザー光の他の一部が、被写体２５で反射された後に、第１物体光Ｌ１ｏとして第１積層体１５に入射する、すなわち所謂Ｈ１Ｈ２法により第２ホログラム感光層４０を露光してもよい。このような例によれば、第１参照光Ｌ１ｒの第１ホログラム感光層２０への入射方向および第１物体光Ｌ１ｏの第１ホログラム感光層２０への入射方向を、別個に制御することが可能となる。
【符号の説明】
【００７４】
１０   第１ホログラム
１１   縞状パターン
１２   干渉縞
１２ｘ 干渉縞、不要な干渉縞
１５   第１積層体、第１積層原版
１６   フィルム層、緩衝層
１７   基層
１８   支持層
１９   支持層
２０   第１ホログラム感光層、第１ホログラム感光材料
２５   被写体
２６   像、再生像
３０   第２ホログラム
３１   縞状パターン
３１ｘ 縞状パターン、不要な縞状パターン
３１ｘ’      縞状パターン、不要な縞状パターン
３３   背面層、吸収層
３５   第２積層体、第２積層原版
３６   フィルム層、緩衝層
３７   基層
３８   支持層
３９   支持層
４０   第２ホログラム感光層、第２ホログラム感光材料
【図１】
2014098765.tif 000003
【図２】
2014098765.tif 000004
【図３】
2014098765.tif 000005
【図４】
2014098765.tif 000006
【図５】
2014098765.tif 000007
【図６】
2014098765.tif 000008
【図７】
2014098765.tif 000009
【図８】
2014098765.tif 000010
【図９】
2014098765.tif 000011
【図１０】
2014098765.tif 000012
【図１１】
2014098765.tif 000013
【図１２】
2014098765.tif 000014